(57)【要約】【課題】回転式クリーナにおいて、梱包用クラフト粘着テープやその逆向きに巻いた粘着テープを、簡単に外面が粘着面としたクリーナ用粘着テープとして使用することができるようにし、且つ着塵したテープを容易に切断する。【解決手段】外面を剥離面とし、内面を粘着面として巻回された粘着テープをクリーナとして使用する。クリーナ本体は、円筒状粘着テープの中央開口部内に挿入される軸受けと、この軸受け２２に対して片持ち式に取り付けられた取手２３を備える。クリーナ本体に対して取り外し自在に設けられた粘着テープの位置決め及び切断用の補助器具１１を備える。補助器具１１は、粘着テープの幅とほぼ同一の長さを持った細長い板状のテープ位置決め部１５と、この位置決め部に設けられて粘着テープに挟み込まれる係止部１６ａ，１６ｂとを備える。板状の位置決め部の少なくとも一辺に粘着テープの切断部１８ａ，１８ｂを備える。【選択図】図１
2010022810.tif 000002
【特許請求の範囲】
【請求項１】
外面を剥離面とし、内面を粘着面として円筒状に巻回された粘着テープをクリーナとして使用する回転式クリーナにおいて、
前記円筒状粘着テープの中央開口部内に挿入される軸受けと、この軸受けに対して片持ち式に取り付けられた取手とを備えたクリーナ本体と、
このクリーナ本体に対して取り外し自在に設けられた粘着テープの位置決め及び切断用の補助器具とを備え、
前記補助器具が、粘着テープの幅とほぼ同一の長さを持った細長い板状のテープ位置決め部と、この位置決め部の一端に設けられて粘着テープの巻いてある層に挟み込まれる係止部とを備え、前記板状の位置決め部の少なくとも一辺に粘着テープの切断部を備えたことを特徴とする回転式クリーナ。
【請求項２】
粘着テープの幅とほぼ同一の長さを持った細長い板状のテープ位置決め部と、この位置決め部の一端に設けられて粘着テープの巻いてある層に挟み込まれる係止部とを備え、前記板状の位置決め部の少なくとも一辺に粘着テープの切断部を備えたことを特徴とする回転式クリーナの補助器具。
【請求項３】
前記位置決め部が、テープの表面を押さえるための槍状の板で長さ方向に折目をもつ部分によって構成されていることを特徴とする請求項２に記載の回転式クリーナの補助器具。
【請求項４】
前記係止部が、位置決め部の一端に対してほぼ錨状に形成された２個の小さい槍状の板によって構成されていることを特徴とする請求項２または請求項３に記載の回転式クリーナの補助器具。
【請求項５】
前記補助器具の表面または裏面の少なくとも一方が、離形処理を施されていることを特徴とする請求項２から請求項４のいずれかに記載の回転式クリーナの補助器具。
【発明の詳細な説明】
【技術分野】
【０００１】
この発明は、マットや衣服などの塵を、回転する粘着テープで除去する回転式クリーナの粘着テープを処理する補助器具で、特に、粘着テープを折り返す時の位置決めや、粘着テープの半固定、それに粘着テープを切断するために使用する補助器具に関するものである。
【背景技術】
【０００２】
特許文献１にあるように、従来の回転式クリーナは外面が粘着性を持つ特殊なテープを回転させ、塵を粘着で除去するもので、着塵後は一周分のテープを剥取り、新しい粘着面を作り再度使用する。
【０００３】
特許文献２にある回転式クリーナは、外面が剥離面で、内面が粘着面となるように巻回された梱包用のクラフト粘着テープを使用するものである。この回転式クリーナは、外側に同心状に位置する円筒状粘着テープ巻着部と粘着テープ扶持具の装置を持ち、この装置に粘着性を表面に巻戻したテープを固定し、この装置を回転させて塵を取るクリーナである。
【０００４】
特許文献３にある回転式クリーナは、粘着テープカッター具を用いてクラフト粘着テープを準備、切断する別の装置を備えた回転式クリーナである。
【０００５】
【特許文献１】公開特許２００４−５７６０２号広報
【特許文献２】公開特許２００３−２５０７４４号広報
【特許文献３】公開特許２００５−３１９０６７号広報
【発明の開示】
【発明が解決しようとする課題】
【０００６】
特許文献１では、テープを単に巻いた状態では回転によりテープが剥がれるため粘着性が弱くし、かつ、特殊な紙を使用し、その上、着塵後の一周分のテープを剥取るためのテープに切り口が必要であり、この処理のため加工工数も必要となり、テープの量も大きくできない。
【０００７】
特許文献２は、梱包用クラフト粘着テープを利用しているが、粘着テープと同心状に位置する円筒状粘着テープ巻着部の装置が必要となり、回転する部分が大きくなる。
【０００８】
特許文献３は、梱包用クラフト粘着テープを利用しているが、粘着テープカッター具の別の大きな装置が必要となる。
【０００９】
本発明の目的は、小さな板状の器具で、梱包用クラフト粘着テープの粘着面が外側になるように回転式クリーナにセットし、また、着塵した一周分のテープを剥取るためのテープ切断を行なうことのできる補助器具及びそのような補助器具を備えた回転式クリーナを提供することにある。
【００１０】
また、他の目的は、前記補助器具によって、粘着面が表となるように、この梱包用クラフト粘着テープを逆に巻いたテープの場合の、テープの始端部分を剥がれないように半固定し、その後、着塵したテープを切断することにある。
【課題を解決するための手段】
【００１１】
前記の目的を達成するため、本発明は、外面を剥離面とし、内面を粘着面として円筒状に巻回された粘着テープをクリーナとして使用する回転式クリーナにおいて、前記円筒状粘着テープの中央開口部内に挿入される軸受けと、この軸受けに対して片持ち式に取り付けられた取手とを備えたクリーナ本体と、このクリーナ本体に対して取り外し自在に設けられた粘着テープの位置決め及び切断用の補助器具とを備え、前記補助器具が、粘着テープの幅とほぼ同一の長さを持った細長い板状のテープ位置決め部と、この位置決め部の一端に設けられて粘着テープの巻いてある層に挟み込まれる係止部とを備え、前記板状の位置決め部の少なくとも一辺に粘着テープの切断部を備えたことを特徴とする。
【００１２】
また、本発明の回転式クリーナの補助器具は、粘着テープの幅とほぼ同一の長さを持った細長い板状のテープ位置決め部と、この位置決め部の一端に設けられて粘着テープの巻いてある層に挟み込まれる係止部とを備え、前記板状の位置決め部の少なくとも一辺に粘着テープの切断部を備えたことを特徴とする。
【００１３】
前記位置決め部が、テープの表面を押さえるための槍状の板で長さ方向に折目をもつ部分によって構成されていること、前記係止部が、位置決め部の一端に対してほぼ錨状に形成された２個の小さい槍状の板によって構成されていること、補助器具の表面または裏面の少なくとも一方が離形処理を施されていることも、本発明の一態様である。
【発明の効果】
【００１４】
本発明によれば、梱包用クラフト粘着テープを折り返して粘着面を外面に位置させることができるので、回転式クリーナに容易にセットすることが可能となる。また、着塵したテープも、簡単に切断することができる。
【００１５】
また、その少なくとも裏面に離形処理を施した場合には、表が粘着面となる粘着テープを用いた回転式クリーナにおいてもテープの位置決めや切断用として使用することが可能であり、テープの始端部分を剥がれることなく広い範囲に分散する細かな塵を除去し、そのテープも簡単に切断することができる。
【発明を実施するための最良の形態】
【００１６】
［実施形態の構成］
発明の実施の形態について、図面を参照して説明する。図１において、第１の実施の形態の補助器具１１の形状を示すもので、長さ方向にＬ形に加工された槍形部分１５、２個の小さい槍形部分１６ａ、１６ｂ、それに操作部分１７からなる、かつ、槍形部分１５のテープを切断する機能を持つ部分１８ａ、１８ｂを具備した薄い板状の形態である。また、この補助器具１１の表面には、離形処理されている部分１９ａを具備している。
すなわち、前記槍形部分１５が、粘着テープの幅とほぼ同一の長さを持った細長い板状のテープ位置決め部で、前記２個の小さい槍形部分１６ａ、１６ｂと操作部分１７が、粘着テープの巻いてある層に挟み込まれる係止部である。また、テープを切断する機能を持つ部分１８ａ、１８ｂが、前記板状の位置決め部の少なくとも一辺に設けられた粘着テープの切断部である。
【００１７】
また、図２は第２の実施の形態の補助器具１２で、図１の第１の実施の形態の補助器具１１に裏面にも離形処理されている部分１９ｂを具備している。
【００１８】
［第１の実施形態の作用］
図３は実施の梱包用クラフト粘着テープ使用時の取手２３を持つ回転式クリーナ２０の斜視図で、回転する粘着テープ円筒状の軸受け２２に組み込まれ、その着塵する粘着テープ面２１が外側にあり、テープの側面の部分に第１の実施の形態の補助器具１１がセットされたままになっている。
【００１９】
図４（ａ）は裏面が粘着テープの梱包用クラフト粘着テープ使用時の第１の実施の形態の補助器具１１をセットする状態の斜視図で、テープ切端３１より約１ｃｍの奥まった位置のテープに本補助器具１１を、槍形部分１５はテープ面に、また、槍形部分１６ａ、１６ｂを巻込まれている梱包用クラフト粘着テープの層に挟込んで折返し部分３３に半固定している。なお、図７は、補助器具１１をテープにセットした状態の拡大斜視図である。
【００２０】
このような状態から、図８に示すように、テープ切端３１をその下に巻かれている次の層のテープの剥離面上から引きはがし、引きはがしたテープ切端３１の剥離面と、その下の層のテープの剥離面とが重なるように、引きはがしたテープを本来の巻回方向とは逆方向に折り返し、下の層のテープの上に重ね合わせ、テープ切端３１が補助器具をセットした位置まで来るようにする。このとき、補助器具１１の表面に、離形処理されている部分１９ａを設けることにより、テープ切端３１をその下に巻かれている次の層のテープの剥離面上から引き離す場合に、補助器具１１が挟み込まれていても容易に引きはがすことができる。
【００２１】
図４（ｂ）は前記のようにして、テープ切端３１を補助器具をセットした位置まで反対方向に折り返した状態を示す斜視図である。すなわち、テープ切端３１を補助器具１１がセットされている折返し部分３３まで巻戻し、粘着テープ面３２が外側になるようにして、テープ切端３１が一周後、折返し部分３３に来るようにする（第９図参照）。このようにすると、テープ切端３１の根本部分は、補助器具によってそれ以上下のテープから剥がれることが出来ず、ちょうどテープ切端３１が一周した位置で位置決めされる。
【００２２】
図４（ｃ）は次の段階のセット完了の斜視図で、梱包用クラフト粘着テープの始端部分３１をテープの折返し部分３３のテープの下になるように置き、巻戻したテープができるだけテープ本体と隙間の無いように互いにテープの端を粘着させる。
【００２３】
この場合、テープ切端３１をそのまま補助器具の上で粘着面が露出している根本部分に重ね合わせると、テープ切端３１の剥離面と根本部の粘着面とが重なり合うことになり、使用時に両者が剥がれてしまうおそれがある。そこで、本実施形態では、第９図に示すように、テープ切端３１の先端部を剥離面が内側となるように折り返して、テープ切端３１の粘着面を露出させ、その粘着面と保持器具上に位置する根本部の粘着面とを接合する。これにより、粘着面同士が密着し、使用時に力が加わっても両者が剥がれることがない。
【００２４】
図５（ａ）は裏面が粘着テープの場合の着塵したテープを除去する斜視図で、補助器具１１を抜取り、折返し部分３３に補助器具１１を挿入し、着塵したテープを切断する機能を持つ部分１８で切断する。
【００２５】
図５（ｂ）は次の段階の斜視図で、補助器具１１を再度用いて、着塵したテープの他の一端部分３５を切断する機能を持つ部分１８で切断し、着塵したテープを除去する。
【００２６】
以上の通り、本実施形態によれば、非常に簡単な構成の補助器具を使用することにより、梱包用の粘着テープを簡単にクリーナ用の粘着テープとして使用することが可能になる。すなわち、補助器具をテープ切端３１より約１ｃｍ程度の位置に差し込んでおくことで、逆方向に巻き付けた際の位置決めができるので、テープ切端３１を必要以上に長くすることもなく、一回りの適正な長さで粘着面を外側に位置させることができる。
【００２７】
また、補助器具に設けた切断部によって、ミシン目等がない梱包用の粘着テープでも、着塵後のテープの切断も簡単に行うことができるので、便利である。
【００２８】
特に、本実施形態のクリーナ本体は、片持ち式で粘着テープを保持するので、補助器具１１を取っ手とは反対側から粘着テープに装着することで、粘着テープを回転させながら清掃する場合に、粘着テープと共に回転する補助器具１１がクリーナ本体に接触することがなく、清掃の邪魔にならない利点もある。
【００２９】
［第２の実施形態の作用］
次に、本発明の第２の実施の形態の作用を図６により説明する。この実施形態は、前記第１の実施の形態の梱包の粘着テープとは異なり、粘着面を外側にして巻回した回転式クリーナ専用のテープの位置決め及び切断用として、裏面に離形処理を施した補助器具を使用したものである。
【００３０】
図６（ａ）は表面が粘着面となるように巻回したクリーナ用粘着テープに対して、第２の実施の形態の補助器具１２をセットする状態の斜視図である。この実施形態では、表面が粘着テープの始端部分４１の近くに補助器具１２をセットした図で、槍形部分１５は粘着テープ面に、また、槍形部分１６ａ、１６ｂは巻き込まれているテープの層に挟込まれ、補助器具１２がテープを半固定している。
【００３１】
図６（ｂ）は次の段階２の斜視図で、着塵したテープを除去するため第２の実施の形態の補助器具１２を技取り、着塵したテープの始端部分４１をめくり、その下のテープに補助器具１２をセットする。
【００３２】
図６（ｃ）は次の段階３の完了の斜視図で、着塵したテープ４２を巻戻して第２の実施の形態の補助器具１２のテープを切断する機能を持つ部分１８に沿って切断し、着塵したテープ４２を除去する。
【００３３】
このように、第２の実施の形態では、前記第１の実施形態において使用した内面を粘着面とした梱包用の粘着テープに加えて、外面を粘着面としたクリーナ専用の粘着テープに対しても、位置決め及び切断要して使用することが可能である。外面を粘着面としたクリーナ専用の粘着テープを使用することで、補助器具が脱落しても着塵には支障のない利点がある。
【００３４】
［他の実施形態］
なお、本発明は、前記実施形態に限定されるものではなく、例えば、係止部を板状でなく、ピン状とすることもできる。また、板状の場合でも、図示の略錨状以外に、単に槍形の部分をＵ字形に折り返した形とすることもできる。更に、補助器具をクリーナ本体に取り付けるため、補助器具とクリーナ本体との間を紐などで結んだり、クリーナ本体に補助器具を装着するポケットなどを設けても良い。
【図面の簡単な説明】
【００３５】
【図１】本発明の第１の実施の形態の補助器具１１の構成図で、（ａ）補助器具の平面図、（ｂ）  補助器具の正面図、（ｃ）補助器具の右側面図である。
【図２】本発明の第２の実施の形態の補助器具１２の構成図で、（ａ）補助器具の平面図、（ｂ）  補助器具の正面図、（ｃ）補助器具の右側面図である。
【図３】本発明の実施の梱包用クラフト粘着テープ使用時の試作回転式クリーナ２０の斜視図である。
【図４】本発明の実施の梱包用クラフト粘着テープ使用し、第１の実施の形態の補助器具１１の使い方を示す斜視図で、（ａ）補助器具１１のセットを示す状態、（ｂ）テープの巻き戻す方法を示す状態、（ｃ）テープを巻き戻した位置に接続した状態である。
【図５】本発明の実施の梱包用クラフト粘着テープ使用し、第１の実施の形態の補助器具１１で着塵したテープを除去する斜視図で、（ａ）着塵後のテープ巻返し部分の切断した状態、（ｂ）着塵テープの他の一端部分を切断した状態である。
【図６】本発明の実施の梱包用クラフト粘着テープ（逆巻き）使用し、第２の実施の形態の補助器具１２の使い方を示す斜視図で、（ａ）補助器具１２でテープを半固定した状態、（ｂ）着塵後の補助器具１２を次の半固定位置に差し替えた状態、（ｃ）補助器具１２で着塵テープの切断した状態である。
【図７】本発明の第１実施形態における補助器具１１のセット状態を示す拡大斜視図である。
【図８】本発明の第１実施形態におけるテープの巻き戻し状態を示す拡大斜視図である。
【図９】本発明の第１実施形態におけるテープを巻き戻した位置に接続した状態を示す拡大斜視図である。
【符号の説明】
【００３６】
１１…第１の実施の形態の補助器具
１２…第２の実施の形態の補助器具
１５…補助器具の槍形部分
１６ａ，１６ｂ…補助器具の２個の小さな槍形部分
１７…補助器具の一体化している部分
１８ａ、１８ｂ…補助器具の切断する部分
１９ａ…補助器具の裏面に離形処理された部分
１９ｂ…補助器具の裏面に離形処理された部分
２０…梱包用クラフト粘着テープを使用した回転式クリーナ
２１…着塵後のテープの表面部分
２２…クリーナの円筒状の軸受け
２３…回転式クリーナの取手
３１…巻戻しテープの始端部分
３２…巻戻しテープの粘着面
３３…巻戻しテープの巻戻し部分
３４…着塵後のテープ裏面部分
３５…着塵後のテープの他の一端部分
４１…粘着テープ（逆巻き）の始端部分
４２…粘着テープ（逆巻き）の着塵後の粘着テープ
【図１】
2010022810.tif 000003
【図２】
2010022810.tif 000004
【図３】
2010022810.tif 000005
【図４】
2010022810.tif 000006
【図５】
2010022810.tif 000007
【図６】
2010022810.tif 000008
【図７】
2010022810.tif 000009
【図８】
2010022810.tif 000010
【図９】
2010022810.tif 000011